(57)【要約】【課題】より一層見栄えの向上を図ることが可能な観賞用ブロックを提供する。【解決手段】観賞用ブロック１は、容器１０と仕切壁２０と蓋体３０とを備えている。容器１０は、一側に開放部１１を有すると共前面が透明性を有する材料により形成されている。仕切壁２０は、開放部１１から挿脱可能であると共に容器１０内空間を仕切る透明性を有する材料により形成されている。蓋体３０は開放部１１を閉塞可能な部材である。また、仕切壁２０は、容器１０の透明部位を前方とした場合に当該容器１０内を前後に仕切る。これにより、観賞用ブロック１は、仕切壁２０により仕切られた前方空間と後方空間とのそれぞれに装飾材料を収納可能としている。【選択図】図１
2013240957.tif 000002
【特許請求の範囲】
【請求項１】
一側に開放部を有すると共に少なくとも一部が透明性を有する材料により形成された容器と、
前記開放部から挿脱可能であると共に前記容器内空間を仕切る透明性を有する材料により形成された仕切壁と、
前記開放部を閉塞可能な蓋体と、を備え、
前記仕切壁は、前記容器の透明部位を前方とした場合に当該容器内を前後に仕切り、
前記仕切壁により仕切られた前方空間と後方空間とのそれぞれに装飾材料を収納可能とした
ことを特徴とする観賞用ブロック。
【請求項２】
前記後方空間を更に前後に仕切る有色の第２仕切壁をさらに有し、
前記第２仕切壁により仕切られた後方の空間に脱酸素剤を収納すると共に、前記容器内部に不活性ガスを封入した
ことを特徴とする請求項１に記載の観賞用ブロック。
【請求項３】
前記蓋体はパッキンを介して前記開放部側から螺子止めされて前記開放部を閉塞する
ことを特徴とする請求項２に記載の観賞用ブロック。
【発明の詳細な説明】
【技術分野】
【０００１】
本発明は、装飾材料を内部に封じ込んで、装飾用置物として用いることができる観賞用ブロックに関する。
【背景技術】
【０００２】
従来、装飾材料を収納して透明な固化材料を透明ケースに充填した観賞用ブロックが提案されている。この観賞用ブロックは、透明容器内に、装飾材料が収納されると共に透明性を有するパラフィンワックスが充填され、透明容器の開口部を透明な蓋体で閉塞してなるものである（特許文献１参照）。
【先行技術文献】
【特許文献】
【０００３】
【特許文献１】特開２０１１−１４３５８７号公報
【発明の概要】
【発明が解決しようとする課題】
【０００４】
ここで、観賞用ブロックは本来鑑賞のために用いられるものであることから、内部に収納される装飾材料の見栄えがより良くなることが好ましい。
【０００５】
本発明はこのような従来の課題を解決するためになされたものであり、その目的とするところは、より一層見栄えの向上を図ることが可能な観賞用ブロックを提供することにある。
【課題を解決するための手段】
【０００６】
本発明の観賞用ブロックは、一側に開放部を有すると共に少なくとも一部が透明性を有する材料により形成された容器と、開放部から挿脱可能であると共に容器内空間を仕切る透明性を有する材料により形成された仕切壁と、開放部を閉塞可能な蓋体と、を備え、仕切壁は、容器の透明部位を前方とした場合に当該容器内を前後に仕切り、仕切壁により仕切られた前方空間と後方空間とのそれぞれに装飾材料を収納可能としたことを特徴とする。
【０００７】
この観賞用ブロックによれば、仕切壁により仕切られた前方空間と後方空間とのそれぞれに装飾材料を収納可能としたため、前方空間と後方空間とのそれぞれに装飾材料を収納することにより、鑑賞者は容器の透明部位から遠近が表現された状態の装飾材料群を鑑賞できることとなる。従って、より一層見栄えの向上を図ることが可能な観賞用ブロックを提供することができる。
【０００８】
また、本発明の観賞用ブロックは、後方空間を更に前後に仕切る有色の第２仕切壁をさらに有し、第２仕切壁により仕切られた後方の空間に脱酸素剤を収納すると共に、容器内部に不活性ガスを封入したことが好ましい。
【０００９】
この観賞用ブロックによれば、第２仕切壁により仕切られた後方の空間に脱酸素剤を収納すると共に、容器内部に不活性ガスを封入しているため、例えば花などのように酸化による退色が進行する装飾材料についても退色を抑えることができる。さらに、脱酸素剤は有色の第２仕切壁よりも後方の空間に収納されるため、前方から装飾材料群を鑑賞するにあたり脱酸素剤が鑑賞者の目に触れることがなく、見栄えの低下を防止することができる。
【００１０】
また、本発明の観賞用ブロックにおいて、蓋体はパッキンを介して開放部側から螺子止めされて開放部を閉塞することが好ましい。
【００１１】
この観賞用ブロックによれば、蓋体はパッキンを介して開放部側から螺子止めされて開放部を閉塞するため、接着剤などを使用して蓋体により開放部の閉塞を行う場合と比較して熟練度を要せず、不活性ガスの漏れを防止することができる。
【発明の効果】
【００１２】
本発明の観賞用ブロックによれば、より一層見栄えの向上を図ることができる。
【図面の簡単な説明】
【００１３】
【図１】本発明の実施形態に係る観賞用ブロックの分解斜視図である。
【図２】図１に示した容器の上面図である。
【図３】図１に示した仕切壁及び第２仕切壁に装飾材料を取り付けたときの様子を示す正面図であり、（ａ）は仕切壁を示し、（ｂ）は第２仕切壁を示している。
【図４】容器内に不活性ガスを封入する工程を示す斜視図である。
【発明を実施するための形態】
【００１４】
以下、本発明の好適な実施形態を図面に基づいて説明する。図１は、本発明の実施形態に係る観賞用ブロックの分解斜視図である。同図に示す観賞用ブロック１は、内部に装飾材料を収納し、これを前方から観賞するためのものであって、容器１０と、仕切壁２０と、蓋体３０と、パッキン３１と、第２仕切壁４０とを備えている。
【００１５】
容器１０は内部空間を有する箱型の部材であって、図１に示すように上面（一側）が開放されて開放部１１が形成されている。この容器１０は、前面が透明性を有する樹脂材料により構成されると共に、側面、下面及び後面が有色の樹脂材料により形成されている。なお、本実施形態において容器１０は箱型に形成されているが、これに限らず、球形や菱形など他の形状であってもよい。さらに、容器１０の前面はＵＶ加工が施された透明材料であることが望ましい。
【００１６】
仕切壁２０は、開放部１１から挿脱可能であって、容器１０の透明部位を前方とした場合に容器１０の内部空間を前後に仕切る透明性を有する板材である。図２は、図１に示した容器１０の上面図である。
【００１７】
図１及び図２に示すように、容器１０には、この仕切壁２０の挿脱をガイドすべく上下に伸びるガイド溝１２が容器１０の前後に亘って複数に形成されている。このため、仕切壁２０は、多段に形成される複数のガイド溝１２のいずれか１つに挿入されることにより、容器１０の内部空間を前後に仕切ることとなる。なお、本実施形態においてガイド溝１２は上下に伸びているが、やや斜めに伸びていていもよいし、適宜変更可能である。
【００１８】
蓋体３０は、容器１０の開放部１１を閉塞するための板材である。この蓋体３０は、縁部に螺子穴３０ａが複数形成されている。また、図２に示すように容器１０の開放部１１にも螺子穴１１ａが複数形成されている。蓋体３０を容器１０に取り付ける場合、蓋体３０を開放部１１に載置する。これにより、互いの螺子穴１１ａ，３０ａの位置が合致するため、螺子を挿入して螺子止めを行うことができる。なお、開放部１１と蓋体３０との間にはパッキン３１が介在されており、パッキン３１にも上記螺子穴１１ａ，３０ａと対応する位置に螺子穴３１ａが形成されている。
【００１９】
第２仕切壁４０は、仕切壁２０により仕切られた後方空間を更に前後に仕切る有色の板材である。この第２仕切壁４０についても、仕切壁２０と同様に、容器１０に開放部１１から挿脱可能であって、複数のガイド溝１２のいずれか１つに挿入されることにより、容器１０の後方空間を更に前後に仕切ることとなる。なお、第２仕切壁４０は仕切壁２０が挿入されたガイド溝１２の後方のガイド溝１２に挿入されることが言うまでもない。
【００２０】
さらに、本実施形態において装飾材料は、仕切壁２０及び第２仕切壁４０に取り付けられている。図３は、図１に示した仕切壁２０及び第２仕切壁４０に装飾材料を取り付けたときの様子を示す正面図であり、（ａ）は仕切壁２０を示し、（ｂ）は第２仕切壁４０を示している。図３に示すように、仕切壁２０の下方及び側方には例えば花が装飾材料として取り付けられている。また、第２仕切壁４０には写真が貼り付けられている。
【００２１】
このような仕切壁２０及び第２仕切壁４０を容器１０のガイド溝１２に沿って挿入し蓋体３０を閉じることにより、前面から観賞した場合、写真の下方及び側方が花により彩られることとなり、且つ、花と写真とを遠近をもって鑑賞できることとなる。すなわち、見栄えの向上につながることとなる。
【００２２】
なお、本実施形態では装飾材料である花や写真が仕切壁２０及び第２仕切壁４０に取り付けられているが、これに限らず、装飾材料は仕切壁２０及び第２仕切壁４０に取り付けられていなくともよい。
【００２３】
このような観賞用ブロック１については、例えば、以下のようにして装飾材料を収納して観賞することができる。まず、仕切壁２０及び第２仕切壁４０に対して装飾材料を取り付ける。このとき、透明性を有する仕切壁２０については、後の観賞性を考慮して図３に示すように、例えば下方及び側方のみに装飾材料である花が取り付けられる。また、第２仕切壁４０については例えば写真が貼り付けられる。
【００２４】
次に、仕切壁２０及び第２仕切壁４０を容器１０のガイド溝１２に挿入する。この際、花と写真との距離をどの程度設けることにより最も見栄えが良くなるかを考慮し、ガイド溝１２に仕切壁２０及び第２仕切壁４０を挿入する。具体的には写真を花よりも奥まらせて観賞することにより見栄えが良くなるかなどを考慮しながらガイド溝１２を選択してガイド溝１２に仕切壁２０及び第２仕切壁４０を挿入する。
【００２５】
図４は、容器１０内に不活性ガスを封入する工程を示す斜視図である。仕切壁２０及び第２仕切壁４０を容器１０内に挿入した後、図４に示すようにして、開放部１１にパッキン３１を載置する。そして、蓋体３０により容器１０の開放部１１の大凡を閉塞し、不活性ガスが封入されたボンベ１００からチューブ１０１等を介して容器１０内に不活性ガスを吹き込む。ここで吹き込まれる不活性ガスは、アルゴンガスであるが、特にこれに限らず窒素等であってもよい。なお、アルゴンガスは空気より重いため、本実施形態のように上面が開放部１１となる容器１０については不活性ガスが逃げ難くなり望ましい。
【００２６】
また、図４に示す第２仕切壁４０よりも更に後方空間Ｓには脱酸素剤を入れておくことが望ましい。これにより、花の酸化による退色を一層防止できるからである。さらに、脱酸素剤のみならず湿気防止剤を収納しておくと一層望ましい。
【００２７】
以上の工程の後、不活性ガスが容器１０内に充分に行き亘ったとする。その後、チューブ１０１を素早く抜き、蓋体３０をスライドさせて開放部１１を完全に閉塞する。次いで、螺子穴１１ａ，３０ａ，３１ａを介して螺子止めを行うことにより、蓋体３０の固定を行う。
【００２８】
このようにして、本実施形態に係る観賞用ブロック１によれば、仕切壁２０により仕切られた前方空間と後方空間とのそれぞれに装飾材料を収納可能としたため、前方空間と後方空間とのそれぞれに装飾材料を収納することにより、鑑賞者は容器１０の透明部位から遠近が表現された状態の装飾材料群を鑑賞できることとなる。従って、より一層見栄えの向上を図ることが可能な観賞用ブロックを提供することができる。
【００２９】
また、第２仕切壁４０により仕切られた後方の空間に脱酸素剤を収納すると共に、容器１０の内部に不活性ガスを封入しているため、例えば花などのように酸化による退色が進行する装飾材料についても退色を抑えることができる。さらに、脱酸素剤は有色の第２仕切壁よりも後方の空間に収納されるため、前方から装飾材料群を鑑賞するにあたり脱酸素剤が鑑賞者の目に触れることがなく、見栄えの低下を防止することができる。
【００３０】
また、蓋体３０はパッキン３１を介して開放部１１側から螺子止めされて開放部１１を閉塞するため、接着剤などを使用して蓋体により開放部１１の閉塞を行う場合と比較して熟練度を要せず、不活性ガスの漏れを防止することができる。
【００３１】
さらに、本実施形態に係る観賞用ブロック１は仕切壁２０及び第２仕切壁４０に観賞材料を取り付けられているため、仕切壁２０及び第２仕切壁４０を入れ替えることにより異なる観賞材料群を観賞することができる。
【００３２】
以上、実施形態に基づき本発明を説明したが、本発明は上記実施形態に限られるものではなく、本発明の趣旨を逸脱しない範囲で、変更を加えてもよい。
【００３３】
例えば、本実施形態において装飾材料は花及び写真であるが、これに限らず、ブーケ等を切り取った布材など、他の装飾材料を収納してもよい。さらに、装飾材料が花である場合、退色を防止するために不活性ガスを容器１０内に封入すると共に、脱酸素剤を第２仕切壁４０の後方空間Ｓに収納しているが、装飾材料が花でない場合には不活性ガスを封入しなくともよく、且つ、脱酸素剤を収納しなくともよい。
【００３４】
また、本実施形態において観賞用ブロック１は仕切壁２０及び第２仕切壁４０を有しているが、さらに第３、第４及びそれ以降の仕切壁を有していてもよい。
【００３５】
また、本実施形態では、蓋体３０を螺子で止めることにより開放部１１を閉塞している。これは上記したように閉塞に熟練度を要しないためであるが、これに限らず、可能であれば接着剤により開放部１１を閉塞してもよい。また、螺子及び接着剤の双方を要せず容器１０や蓋体３０に引っ掛け部を有するなど、構造的に開放部１１を閉塞するようにしてもよい。
【００３６】
加えて、本実施形態では仕切壁２０及び第２仕切壁４０の前面に装飾材料を取り付けているが、これに限らず、仕切壁２０及び第２仕切壁４０に取り付けることなく、仕切壁２０の前後空間に装飾材料を収納するようにしてもよい。さらには、仕切壁２０の裏面に装飾材料を取り付けるようにしてもよい。
【符号の説明】
【００３７】
１…観賞用ブロック
１０…容器
１１…開放部
１１ａ…螺子穴
１２…ガイド溝
２０…仕切壁
３０…蓋体
３０ａ…螺子穴
３１…パッキン
３１ａ…螺子穴
４０…第２仕切壁
【図１】
2013240957.tif 000003
【図２】
2013240957.tif 000004
【図３】
2013240957.tif 000005
【図４】
2013240957.tif 000006